(57)【要約】【課題】合焦位置までのフォーカス操作量を表示する。【解決手段】  （ａ）は映像表示部３７の点線で示す合焦検出枠Ｅの範囲内の最も手前の被写体に合焦させる操作量ΔＯを画角による数値で示している。  （ｂ）は撮像部３１で撮影した画像を示し、（ｃ）は撮影した画像に操作量ΔＯを合成した状態を示している。【選択図】図４
2011053299.tif 000002
【特許請求の範囲】
【請求項１】
移動することにより合焦状態を変化させるフォーカスレンズと、
操作者が操作することにより前記フォーカスレンズを移動させる操作部と、
被写体の合焦状態を検出する合焦状態検出部と、
該合焦状態検出部で得られた合焦状態に基づいて、前記被写体に対して合焦位置に至るまでの前記操作部の操作量を表示する表示手段と、
を有することを特徴とするレンズ装置。
【請求項２】
前記合焦状態検出部は、前記被写体までの距離を検出することを特徴とする請求項１に記載のレンズ装置。
【請求項３】
前記操作部は、第１のフォーカス光学系を駆動する指令装置と、前記第１のフォーカス光学系と異なる第２のフォーカス光学系と駆動する指令装置とを有し、算出手段により、前記第１のフォーカス光学系の操作量と、第２のフォーカス光学系の操作量とを算出することを特徴とする請求項１又は２に記載のレンズ装置。
【請求項４】
前記表示手段は、前記第１のフォーカス光学系の操作量と、前記第２のフォーカス光学系の操作量との何れかを表示するかの選択手段を有することを特徴とする請求項３に記載のレンズ装置。
【請求項５】
前記操作量は予め設定可能な基準フォーカスレンズ位置からの操作量であることを特徴とする請求項１〜４の何れか１つの請求項に記載のレンズ装置。
【請求項６】
前記基準フォーカスレンズ位置は現在のフォーカスレンズ位置に対応した指令に基づく位置であることを特徴とする請求項５に記載のレンズ装置。
【請求項７】
前記被写体の画角の位置を検出する手段と、前記操作量を映像上に前記検出した画角の位置に合わせて映像と共に表示する手段とを有することを特徴とする請求項１〜６の何れか１つの請求項に記載のレンズ装置。
【請求項８】
前記選択手段は前記第１のフォーカス光学系の駆動により合焦位置に至る場合は、前記第１のフォーカス光学系の操作量を表示し、前記第１のフォーカス光学系の駆動により合焦位置には至らず、前記第２のフォーカス光学系の駆動により合焦位置に至る場合は前記第２のフォーカス光学系の操作量を表示し、前記第１のフォーカス光学系及び前記第２のフォーカス光学系の駆動により合焦位置に至る場合は前記第１のフォーカス光学系の操作量、前記第２のフォーカス光学系の双方の操作量を表示することを特徴とする請求項４に記載のレンズ装置。
【請求項９】
前記フォーカス光学系を駆動する複数の前記操作部を有し、前記操作部の条件によって、前記フォーカス光学系を駆動する操作部を選択し、複数の前記操作部の内のどの操作部の操作量を表示するかを選択する表示選択手段を有することを特徴とする請求項３に記載のレンズ装置。
【発明の詳細な説明】
【技術分野】
【０００１】
本発明は、フォーカス駆動量表示手段を有するレンズ装置に関するものである。
【背景技術】
【０００２】
一般的なレンズは、デフォーカス量が同一の状態から合焦位置に至るまでのフォーカスレンズの駆動量は、無限遠側よりも至近側の方が大きい。このようなレンズにおいても撮影者が素早く合焦状態を得られるようにするために、ファインダ画面上に合焦状態、被写体距離、デフォーカス量等を表示する表示装置が特許文献１、２に開示されている。
【先行技術文献】
【特許文献】
【０００３】
【特許文献１】特開２０００−４７３１５号公報
【特許文献２】特開平５−１２７２４３号公報
【発明の概要】
【発明が解決しようとする課題】
【０００４】
しかしながら、このように合焦状態、被写体距離、デフォーカス量を表示するだけでは、撮影者が素早く正確な合焦位置を得ることは難しい。
【０００５】
本発明の目的は、上述の問題点を解消し、撮影者が素早く合焦位置を得易くなるようなレンズ装置を提供することにある。
【課題を解決するための手段】
【０００６】
上記目的を達成するための本発明に係るレンズ装置は、移動することにより合焦状態を変化させるフォーカスレンズと、操作者が操作することにより前記フォーカスレンズを移動させる操作部と、被写体の合焦状態を検出する合焦状態検出部と、該合焦状態検出部で得られた合焦状態に基づいて、前記被写体に対して合焦位置に至るまでの前記操作部の操作量を表示する表示手段と、を有することを特徴とする。
【発明の効果】
【０００７】
本発明に係るレンズ装置によれば、操作者がカメラや操作手段に依存せずに、一意的に合焦位置までの操作量を簡単に知ることができる。
【図面の簡単な説明】
【０００８】
【図１】実施例１のブロック回路構成図である。
【図２】フォーカスレンズ位置における敏感度のグラフ図である。
【図３】位相差センサと撮影映像の位置関係の説明図である。
【図４】デフォーカス情報映像の説明図である。
【図５】実施例２のブロック回路構成図である。
【図６】実施例３のブロック回路構成図である。
【図７】フォーカス及びマクロ操作量表示決定のフローチャート図である。
【図８】実施例４のブロック回路構成図である。
【発明を実施するための形態】
【０００９】
本発明を図示の実施例に基づいて詳細に説明する。
【実施例１】
【００１０】
図１は実施例のブロック回路構成図である。レンズ装置１にはカメラ装置２が結合され、更にレンズ装置１にフォーカス指令装置であり、操作部、指令部から成るフォーカスデマンド３が接続されている。
【００１１】
このフォーカスデマンド３は、操作入力部からの操作者の操作に基づいて、フォーカスレンズの駆動指令をレンズ装置１に送る。本実施例では、駆動指令手段としてフォーカスデマンド３を例に説明するが、それ以外の駆動指令手段を使用しても、その効果は同様である。
【００１２】
レンズ装置１においては、光軸上にフォーカスレンズ１１、ハーフミラー１２が配列され、ハーフミラー１２の反射方向に測距手段として被写体測距部１３が設けられている。被写体測距部１３の出力はデフォーカス量算出部１４を介して操作量算出部１５に接続されている。また、フォーカスレンズ１１の位置を検出するフォーカス位置検出部１６の出力は、操作量算出部１５、対デマンド用レンズ通信部１７に接続されている。対デマンド用レンズ通信部１７にはフォーカスデマンド３が接続され、対デマンド用レンズ通信部１７の出力はフォーカスモータ制御部１８、操作量算出部１５に接続されている。また、フォーカスモータ制御部１８の出力はフォーカスレンズ駆動モータ部１９に接続されている。更に、操作量算出部１５の出力は対カメラ用レンズ通信部２０を経てカメラ装置２に接続され、フォーカス敏感度管理部２１の出力が操作量算出部１５に接続されている。
【００１３】
カメラ装置２の撮像部３１には、レンズ装置１のフォーカスレンズ１１、ハーフミラー１２を経た撮影光が入射されている。撮像部３１の出力は撮影映像生成部３２を経て映像重畳部３３に接続され、映像重畳部３３にはレンズ装置１の対カメラ用レンズ通信部２０の出力を受信するカメラ通信部３４の出力がデフォーカス情報映像生成部３５を経て接続されている。また、デフォーカス情報映像生成部３５には表示内容切換部３６の出力が接続され、映像重畳部３３の出力は映像表示部３７に接続されている。
【００１４】
フォーカスデマンド３においては、操作入力部４１の出力が駆動指令値算出部４２に接続され、駆動指令値算出部４２はデマンド通信部４３、駆動指令感度管理部４４と接続されている。駆動指令感度管理部４４の出力はデマンド通信部４３に接続されて、デマンド通信部４３の指令信号はレンズ装置１の対デマンド用レンズ通信部１７に接続されている。
【００１５】
操作者がフォーカスレンズ１１を駆動してレンズ装置１のフォーカスレンズ１１を調整する場合には、フォーカスデマンド３のノブを操作する。ノブの操作により、操作入力部４１に操作入力値が入力され、その出力は駆動指令値算出部４２に送られる。レンズ装置１のフォーカスレンズ１１の位置情報はフォーカス位置検出部１６で検出され、この位置情報は対デマンド用レンズ通信部１７及びフォーカスデマンド３のデマンド通信部４３を経由して駆動指令値算出部４２に入力する。駆動指令値算出部４２では、操作入力値と、フォーカスレンズ１１の位置情報と、駆動指令感度管理部４４から入力されたフォーカスレンズ駆動指令感度情報から、駆動指令値を算出する。この駆動指令値はフォーカス位置に応じて駆動指令感度を基に、表１に示すようなフォーカスレンズ１１の位置とフォーカスデマンド３のノブの操作位置とにより関連データテーブルを作成し、ノブの操作位置に対するフォーカスレンズ１１の位置を導き出す。
【００１６】
表１
フォーカスレンズ位置（％）        ０    １    ２    ３    ４    ・・・
ノブ操作位置（゜）                ０    ０    ０    ０    １    ・・・
【００１７】
ここで、表１の値は駆動指令感度管理部４４の駆動指令感度の設定値により異なるため、例えば設定毎にデータテーブルを作成し、設定値毎に使用するデータテーブルを切換えて使用する。
【００１８】
駆動指令値はフォーカスデマンド３の駆動指令値算出部４２から、デマンド通信部４３及び対デマンド用レンズ通信部１７を経由して、レンズ装置１のフォーカスモータ制御部１８に送られる。フォーカスモータ制御部１８は駆動指令値を基に、例えばＤＣモータやステッピングモータ等のモータと、フォーカスレンズ１１を撮影光学系の光軸の方向にモータの動力を伝達させる機構とから成るフォーカスレンズ駆動モータ部１９を作動する。これにより、フォーカスデマンド３のノブ操作により、駆動指令感度に応じてフォーカスレンズ１１を駆動しフォーカス調整を行うことができる。
【００１９】
レンズ装置１の撮影光学系を通る被写体からの光束は、ハーフミラー１２により合焦状態検出部である被写体測距部１３に向かう光束とカメラ装置２のＣＣＤなどの撮像素子から成る撮像部３１に向かう光束とに分岐される。ここで、撮像部３１に入射した光束は電気信号に変換された後に撮影映像生成部３２に送られ、この電気信号を基に被写体の映像が再現される。
【００２０】
一方、ハーフミラー１２により分岐された被写体からの光束を被写体測距部１３に導くことにより、撮影範囲の複数のポイントでの被写体までの距離情報であるデフォーカス量を検出することができる。この被写体測距部１３から出力された合焦状態に関する情報としての距離情報は、デフォーカス量算出部１４に入力される。ここで、この距離情報に基づいて、デフォーカス量と撮影範囲内での位置情報を持つデフォーカス情報が生成され、このデフォーカス情報は操作量算出部１５に出力される。
【００２１】
操作量算出部１５には、フォーカス位置検出部１６からフォーカス位置情報、フォーカス敏感度管理部２１からフォーカス敏感度情報が入力されている。フォーカス敏感度情報はフォーカスレンズ１１の各位置での単位駆動量に対してのデフォーカス量変化を示す情報であり、図２に図示するようなフォーカスレンズ位置とフォーカス敏感度との関係の情報から導き出すことができる。また操作量算出部１５には、駆動指令感度管理部４４からデマンド通信部４３、対デマンド用レンズ通信部１７を経由して、フォーカスデマンド３のフォーカスレンズ駆動指令感度情報が入力される。
【００２２】
操作量算出部１５はデフォーカス情報、フォーカス位置情報、フォーカス敏感度情報、フォーカスレンズ駆動指令感度情報から、合焦位置に至るまでのフォーカスデマンド３のノブの操作量情報を算出する。ここで、操作量算出部１５においては、その操作量を必ずしも演算で求める必要はなく、記憶しているテーブル等から合焦位置に至るまでに必要な操作量を読み出すようにしてもよい。
【００２３】
操作量情報は合焦位置までのフォーカスデマンド３のノブ操作量と共に、撮影範囲上での位置情報を含み、この操作量情報は対カメラ用レンズ通信部２０、カメラ通信部３４を経由して、カメラ装置２のデフォーカス情報映像生成部３５に入力される。デフォーカス情報映像生成部３５は表示内容切換部３６の表示設定情報を基に、合焦位置に至るまでの操作量、できればその操作方向、表示方法を決定する。更に、この決定内容に応じて、操作量情報内部に存在する映像上の位置情報の個所に、操作量を表示するデフォーカス情報映像を作成する。
【００２４】
映像重畳部３３は撮影映像生成部３２で生成された撮影映像と、デフォーカス情報映像生成部３５で生成されたデフォーカス情報映像とを重畳し、生成した映像を映像表示部３７に出力する。映像表示部３７は例えばカメラに取り付けられたビューファインダとすることができる。
【００２５】
デフォーカス情報映像生成部３５においては、被写体デフォーカス量Ｄから合焦位置までのフォーカスレンズ駆動量ΔＦｐを算出し、次にフォーカスレンズ駆動量ΔＦｐを得るための操作量ΔＯを算出する。先ず、フォーカスレンズ駆動量ΔＦｐを算出するためには、フォーカスレンズ位置でのフォーカス敏感度が必要となる。前述したように、フォーカス敏感度Ｂは図２に示すようにフォーカスレンズ１１の単位駆動量に対するデフォーカス量の変化量である。フォーカス位置Ｆｐが至近端のときに、敏感度Ｂが最大値となり、本実施例ではそのときの敏感度Ｂを１００％としている。
【００２６】
一般のレンズ装置でも、フォーカス位置Ｆｐが至近端のときに敏感度Ｂが１００％となる場合が多い。敏感度Ｂは無限遠端で若干増加するものの、基本的には至近端で１００％となり、無限遠端側になるに従って減少する。従って、フォーカスレンズ１１を単位駆動量変化させたときのデフォーカス量ΔＤは、フォーカス位置Ｆｐでの敏感度をＢｐとすると、次の式で表すことができる。
ΔＤ＝Ｂｐ×β（βは任意の定数）
【００２７】
操作量算出部１５では、被写体デフォーカス量Ｄとフォーカス位置Ｆｐとフォーカス敏感度Ｂの情報から、現在のフォーカス位置から合焦位置までのフォーカスレンズ駆動量ΔＦｐを算出する。この変換関数をｆ１とすると、フォーカス駆動量ΔＦｐは次の式で表すことができる。
ΔＦｐ＝ｆ１（Ｄ，Ｆｐ）
【００２８】
変換関数ｆ１の演算は例えば次のように実行される。図２に示す敏感度のグラフ図を基に、表２に示すようなフォーカスレンズ位置でのデフォーカス量Ｄを示すテーブルデータ構造を、フォーカスレンズ単位駆動量の分解能で作成する。
【００２９】
表２
フォーカスレンズ位置（％）  ０    １    ２    ３    ４    ・・・
敏感度（％）              ４７  ４７  ４６  ４６  ４５    ・・・
【００３０】
表２のデータテーブルからフォーカスレンズ位置を単位駆動量だけ動かしたデフォーカス量ΔＤを算出し、順次に単位駆動量だけ動かしたデフォーカス量ΔＤを加算値ＤΣを算出する。この処理を加算値ＤΣが被写体デフォーカス量Ｄになるまで加算し続ける。加算後に、被写体デフォーカス量Ｄになるときまでの処理回数×単位駆動量からフォーカスレンズ駆動量ΔＦｐを算出する。
【００３１】
次に、操作量算出部１５ではフォーカスレンズ駆動量ΔＦｐと現在のフォーカス位置Ｆｐから合焦位置でのフォーカス位置Ｆｐ’を次式のように算出する。
Ｆｐ’＝Ｆｐ＋ΔＦｐ
【００３２】
ここで、得られた合焦位置でのフォーカス位置Ｆｐ’が、フォーカスレンズ１１の駆動範囲外の場合はエラーとして演算を終了する。このとき、操作量ΔＯには異常値が出力される。
【００３３】
次に、現在のフォーカスレンズ位置Ｆｐ及び合焦位置でのフォーカスレンズ位置Ｆｐ’でのフォーカスデマンド３のノブ操作位置Ｎｐ、Ｎｐ’をそれぞれ算出する。この変換関数をｆ２とすると、次式で表すことができる。
Ｎｐ＝ｆ２（Ｆｐ）
Ｎｐ’＝ｆ２（Ｆｐ’）
【００３４】
変換関数ｆ２の演算は、表１のデータテーブルを用いて実行される。操作量ΔＯは次式により算出する。
ΔＯ＝Ｎｐ−Ｎｐ’
【００３５】
図３（ａ）は撮像部３１で撮像された映像を示し、（ｂ）は撮像部３１の撮影範囲に対応する位置に対して、被写体測距部１３のラインセンサ１３ａから成る複数の位相差センサが配置されている様子を示している。（ｃ）は撮像部３１の撮影映像に対して、ラインセンサ１３ａがどの位置に配置されているかを示している。
【００３６】
このように、撮像部３１の撮影範囲に対応した位置に、被写体測距部１３による複数のラインセンサ１３ａが配置され、それぞれのラインセンサ位置での被写体デフォーカス量Ｄを、電気信号として出力することができる。従って、撮影映像生成部３２の映像に対応したラインセンサ１３ａの被写体デフォーカス量Ｄを算出することにより、映像表示部３７のそれぞれの位置での被写体デフォーカス量Ｄを算出することができる。
【００３７】
ここでは、被写体測距部で位相差センサを使用する例を示したが、赤外線、超音波などを照射し、その反射波が戻るまでの時間や照射角度により距離を検出する方式により、被写体デフォーカス量Ｄを算出してもよい。これらの場合に、複数の赤外光源を図３（ｂ）に示すラインセンサ１３ａのように、撮影範囲に対応する位置に配置して、それぞれの位置での測距を行うことにより、位相差センサと同様の効果が得られる。
【００３８】
デフォーカス情報映像生成部３５はピント位置までの操作量と、映像上での位置情報から、対応する映像表示部３７の位置に操作量ΔＯの情報を表示するデフォーカス情報映像を作成する。図４（ａ）は映像表示部３７の点線で示す合焦検出枠Ｅの範囲内での合焦位置までの操作量ΔＯを示している。この例では、予め映像表示部３７に指定した複数の合焦検出枠Ｅを表示し、これらの合焦検出枠Ｅ内で最も手前の被写体に合焦させる操作量ΔＯを画角による数値で表示している。表示方法としては、実施例の画角以外でも、矢印の長さと向き、バーグラブ、枠の形、枠の色、濃さ等を変えて、操作駆動量とその方向を示してもよい。
【００３９】
図４（ｂ）は撮像部３１で撮影した画像を示し、（ｃ）は撮影した画像に操作量ΔＯを合成した状態を示している。
【００４０】
また、操作量ΔＯを表示する被写体の選択は、最も至近に近い被写体や、被写体の動きを検知し、被写体の動きに合わせて合焦検出枠Ｅを移動させる方法でもよい。更に、フォーカスデマンド３の図示しない合焦検出枠移動入力手段により、合焦検出枠Ｅを移動し、映像上の合焦検出枠Ｅの範囲を変更させることもできる。このような表示形式は、カメラ装置２の表示内容切換部３６に対して外部から設定され、表示設定情報として保存され、デフォーカス情報映像生成部３５は表示設定情報を基に表示内容の切換えを行う。
【００４１】
ここで、今まで操作量を表示することを説明したが、操作量算出部１５で生成されたフォーカスレンズ駆動量を表示してもよい。その場合には、操作量情報にフォーカスレンズ駆動量ΔＦｐが含まれ、対カメラ用レンズ通信部２０、カメラ通信部３４を経由して、デフォーカス情報映像生成部３５にフォーカス駆動量情報が送られる。このようにして被写体のピントを合わすために必要な操作量を使用者が知ることができる。
【００４２】
本実施例１では、レンズ装置１、カメラ装置２、フォーカスデマンド３が分離されている場合を説明したが、それぞれが一体の場合でも同様である。
【実施例２】
【００４３】
図５は実施例２のブロック回路構成図である。実施例２では、基準となるフォーカス位置から合焦位置までのフォーカス操作量を表示する。実施例２の構成は実施例１の図１に対し、基準フォーカス位置設定部５１、基準フォーカス位置保持部５２、基準フォーカス位置選択部５３が追加されている。基準フォーカス位置設定部５１の出力は基準フォーカス位置保持部５２を経由して基準フォーカス位置選択部５３に接続され、基準フォーカス位置選択部５３の出力は操作量算出部１５に接続されている。
【００４４】
基準フォーカス位置設定部５１は基準となるフォーカス位置を予め設定可能な設定入力部であり、例えばキー入力部と入力値表示部から構成されている。基準フォーカス位置保持部５２は予め設定された基準フォーカス位置Ｆｂ又は基準フォーカス位置設定部５１で設定された１つ以上の基準フォーカス位置Ｆｂを保持する。
【００４５】
ここで、予め設定された基準フォーカス位置Ｆｂとは、例えば至近端フォーカス位置や、無限遠端フォーカス位置である。一方で、ボタン等のトリガで指定したフォーカス位置に、フォーカスレンズ１１を動かすフォーカスショットという機能が存在し、このフォーカスショットで設定されたフォーカス位置を基準フォーカス位置Ｆｂとすることもできる。
【００４６】
基準フォーカス位置保持部５２は基準フォーカス位置選択部５３で選択された基準フォーカス位置情報を、操作量算出部１５に出力する。実施例１では、操作量算出部１５は現在のフォーカスレンズ位置Ｆｐから合焦位置までの操作量ΔＯを算出したが、実施例２では基準フォーカス位置Ｆｂから合焦位置までの操作量ΔＯを算出する。なお合焦位置のフォーカス位置Ｆｐ’の算出方法までは、実施例１と同様である。
【００４７】
次に、基準フォーカス位置Ｆｂ及び合焦位置に操作するノブ操作位置Ｎｂ、Ｎｐは、次式によりそれぞれ算出する。
Ｎｂ＝ｆ２（Ｆｂ）
Ｎｐ’＝ｆ２（Ｆｐ’）
【００４８】
変換関数ｆ２の演算は実施例１と同様であり、操作量ΔＯは実施例１と同様に次式により算出する。
ΔＯ＝Ｎｐ−Ｎｐ’
【００４９】
実施例１と同様に、合焦位置でのフォーカス位置Ｆｐ’がフォーカスレンズ１１の駆動範囲外の場合はエラーとして演算を終了する。このように、基準フォーカス位置Ｆｂから合焦位置までの操作量を操作者が確認することができ、フォーカスレンズ１１を動かす精度を向上させることができる。
【実施例３】
【００５０】
図６は実施例３のブロック回路構成図であり、図１と同一の符号は同一の部材を示し、フォーカスデマンドの機能はレンズ装置１内に設けられている。光軸上に、第１のフォーカス光学系であるフォーカスレンズ１１と第２のフォーカス光学系であるマクロレンズ６１が配置されている。そして、被写体のフォーカス調整用のフォーカス操作部６２とフランバック調整用のマクロ操作部６３が設けられており、フォーカス操作部６２は実施例１のフォーカスデマンド３及び対デマンド用レンズ通信部１７を内蔵している。マクロ操作部６３の構成はフォーカス操作部６２と同様である。マクロ操作部６３の出力はマクロモータ制御部６４を介してマクロレンズ駆動モータ部６５に接続されている。マクロレンズ６１の位置はマクロ位置検出部６６で検出され、その出力は操作量算出部１５’に接続され、更にマクロ敏感度管理部６７の出力が操作量算出部１５’に接続されている。
【００５１】
フォーカス操作部６２から送られたフォーカスレンズ駆動指令はフォーカスモータ制御部１８に入力し、以後は実施例１と同様に、フォーカスレンズ駆動モータ部１９を駆動しフォーカスレンズ１１を移動する。マクロモータ制御部６４はマクロ操作部６３からのマクロレンズ駆動指令を基に、マクロレンズ駆動モータ部６５を駆動しマクロレンズ６１を移動する。
【００５２】
これにより、フォーカス操作部６２及びマクロ操作部６３がそれぞれ独立して、フォーカス調整を行う。フォーカスレンズ１１の位置は、フォーカス位置検出部１６により検出され、操作量算出部１５’に出力される。同様に、マクロレンズ６１の位置はマクロ位置検出部６６で検出され、操作量算出部１５’に出力される。
【００５３】
また、フォーカス操作部６２からフォーカスレンズ駆動指令感度情報が操作量算出部１５’に出力される。同様に、マクロ操作部６３からマクロレンズ駆動指令感度情報が操作量算出部１５’に出力される。
【００５４】
実施例１と同様に、デフォーカス情報はデフォーカス量算出部１４から操作量算出部１５’に出力される。更に実施例１と同様に、フォーカス敏感度情報はフォーカス敏感度管理部２１から操作量算出部１５’に出力される。また、マクロ敏感度情報はマクロ敏感度管理部６７から操作量算出部１５’に出力される。フォーカス敏感度情報がフォーカスレンズ１１の敏感度であるのに対し、マクロ敏感度情報はマクロレンズ６１の敏感度を表している。
【００５５】
操作量算出部１５に入力された情報から、実施例１、２と同様の方法で、フォーカスレンズ１１及びマクロレンズ６１の操作量情報を算出する。そして、操作量情報は対カメラ用レンズ通信部２０及びカメラ通信部３４を経由し、カメラ装置２のデフォーカス情報映像生成部３５’に送られる。このとき、フォーカスレンズ１１なのかマクロレンズ６１なのかを識別する情報も操作量情報に付加される。
【００５６】
ここで、実施例１、２の操作量算出部１５と実施例３の操作量算出部１５’との違いは、操作量算出部１５が１つのフォーカスレンズ１１の操作量情報を算出しているのに対し、操作量算出部１５’は更にマクロレンズ６１の操作量情報をも算出している。デフォーカス情報映像生成部３５’は表示内容切換部３６’の表示設定情報を基に、表示する操作量、表示方法を決定する。また、実施例１、２のデフォーカス情報映像生成部３５と実施例３のデフォーカス情報映像生成部３５’の違いは、フォーカスレンズ１１とマクロレンズ６１との２つの操作量情報の表示を行うことにある。また、表示内容切換部３６と表示内容切換部３６’との違いは、表示設定情報にフォーカスレンズ１１とマクロレンズ６１の切換情報が入力されていることにある。
【００５７】
フォーカスレンズ１１の現在のフォーカス位置Ｆｐから合焦位置までの操作量及び基準フォーカスレンズ位置Ｆｐから合焦位置までの操作量は、それぞれ実施例１、２の方法で算出される。同様に、マクロレンズ６１の現在位置から合焦位置までの操作量及び基準レンズ位置から合焦位置までの操作量も、対象がフォーカスレンズ１１かマクロレンズ６１かの違いのみで、フォーカスレンズ１１と同様に算出される。
【００５８】
ここでは、フォーカスレンズ１１とマクロレンズ６１の双方を動かして、被写体に合焦させる駆動量を算出する方法について説明する。この例では、フォーカスレンズ１１を基準フォーカス位置の例えば至近端位置まで動かした状態で、マクロレンズ６１をどの程度操作すれば、被写体に合焦するのかを示すマクロ操作量を算出する。
【００５９】
先ず、フォーカスレンズ１１を現在のフォーカスレンズ位置Ｆｐから基準フォーカスレンズ位置Ｆｂまで動かしたときの操作量ΔＯと、それにより変化するデフォーカス量Ｄｆを算出する。現在位置から合焦位置までのデフォーカス量をＤ、基準フォーカスレンズ位置をＦｂ、現在のフォーカスレンズ位置をＦｐとすると、デフォーカス量Ｄｆは次の式で表せる。
Ｄｆ＝Ｆ１（Ｆｐ，Ｆｂ）
【００６０】
変換関数Ｆ１の演算は例えば次のように実行される。図２に示す敏感度グラフ図を基に、表２のデータテーブルからフォーカスレンズ位置を単位駆動量動かしたデフォーカス量ΔＤを算出し、順次に単位駆動量だけ動かしたデフォーカス量ΔＤを加算する。この処理をＦｐ＋（処理回数×単位駆動量）が基準フォーカス位置Ｆｂと一致するまで繰り返す。上記の条件を満たす回数分の処理を行ったときのデフォーカス量ΔＤの総加算結果がデフォーカス量Ｄｆとなる。ここで、基準フォーカス位置Ｆｂは通常では至近端位置である。
【００６１】
フォーカスレンズ１１の操作量ΔＯは、実施例１の変換関数ｆ２の演算を用いて、次のように算出される。
ΔＯ＝ｆ２（Ｆｐ）−ｆ２（Ｆｂ）
【００６２】
次に、マクロレンズ６１の操作量ΔＯｍを算出すると、先に算出したフォーカスレンズ１１のデフォーカス量Ｄｆから、フォーカスレンズ１１が基準位置に到達した後に、被写体に合焦させるためのデフォーカス量Ｄｍを次式で表すことができる。
Ｄｍ＝Ｄ−Ｄｆ
【００６３】
従って、実施例１の演算方法を用い、デフォーカス量ＤをＤｍとして、マクロレンズ６１の現在位置から被写体が合焦するまでのマクロ操作量ΔＯｍを算出することができる。
【００６４】
これにより、フォーカスレンズ１１の基準フォーカスレンズ位置Ｆｐである例えば至近端位置までの操作量と、フォーカスレンズ１１が基準フォーカス位置Ｆｂに到達したときのマクロレンズ６１の合焦位置までの操作量ΔＯｍを得ることができる。
【００６５】
図７はデフォーカス情報映像生成部３５’がフォーカスレンズ１１の操作量ΔＯ又はマクロレンズ６１の操作量ΔＯｍの何れかの表示を行うかの選択を行うフローチャート図である。これは映像上の１つの測距点での表示を決定するシーケンスであり、このシーケンスが測距点毎に実施される。
【００６６】
ステップＳ１で動作が開始され、ステップＳ２に処理が移る。ステップＳ２では、操作量算出部１５’から送られてきたフォーカスレンズ操作情報を確認する。ここで、フォーカスレンズ１１の操作量が正常のときはステップＳ３に移り、フォーカスレンズ１１の操作量ΔＯのみの表示を実行する。このとき、映像表示部３７上にはフォーカスレンズ１１の操作量であることを示す表示も併せて表示される。ここで操作量ΔＯが正常とは、フォーカスレンズ１１の駆動のみで、被写体に合焦させることができることを意味している。
【００６７】
ステップＳ２の判定で、フォーカスレンズ１１の操作量ΔＯが異常の場合は、ステップＳ４に移る。ステップＳ４では、操作量算出部１５’から送られてきたマクロレンズ操作情報を確認する。ここで、マクロレンズ６１の操作量ΔＯｍが正常の場合はステップＳ５に移り、マクロレンズ６１の操作量ΔＯｍのみの表示を実行する。このとき、映像上にはマクロレンズ６１の操作量ΔＯｍであることを示す表示も併せて表示される。ここで操作量ΔＯｍが正常とは、マクロレンズ６１の駆動のみで、被写体に合焦させることを意味している。
【００６８】
ステップＳ４の判定で、マクロレンズ６１の操作量が異常の場合は、ステップＳ６に移る。ステップＳ４では、操作量算出部１５’から送られてきたフォーカスレンズ１１が基準フォーカスレンズ位置Ｆｂに移動したときのマクロレンズ６１の操作情報を確認する。マクロレンズ６１の操作量ΔＯｍが正常のときはステップＳ７に移り、フォーカスレンズ１１の基準フォーカスレンズ位置Ｆｂまでの操作量ΔＯと、マクロレンズ６１の操作量ΔＯｍとを映像表示部３７に表示する。
【００６９】
このとき映像表示部３７には、それぞれの操作量にフォーカスレンズ１１のものか、マクロレンズ６１のものかを示す表示も併せて表示される。ここで操作量が正常とは、フォーカスレンズ１１が基準フォーカスレンズ位置Ｆｂに移動したときに、マクロレンズ６１を駆動させて、被写体に合焦させることを意味している。つまり、フォーカスレンズ１１とマクロレンズ６１の双方に動かして、被写体に合焦できれば正常と判断される。
【００７０】
ステップＳ６の判断で、フォーカスレンズ１１が基準フォーカスレンズ位置Ｆｂに移動したときのマクロ操作量が異常のときはステップＳ８に移る。ステップＳ８では合焦不可を示す表示が行われる。
【００７１】
このように、各測距点での被写体の合焦度合いにより、フォーカスレンズ１１又はマクロレンズ６１の何れをどの程度操作すればよいかの表示が映像表示部３７になされる。ここで、ステップＳ２、Ｓ４、Ｓ６の処理の順番を表示内容切換部３６’の表示設定情報の設定情況により変化させてもよい。これにより、フォーカスレンズ１１及びマクロレンズ６１が存在するレンズ装置１で、操作者が何れのレンズをどの程度操作すれば、被写体に合焦するかを簡便に知ることができる。
【実施例４】
【００７２】
図８は実施例４のブロック回路構成図を示し、複数のフォーカスデマンドが接続されている。実施例１の図１と異なる点は、複数のフォーカスデマンド３ａ、３ｂが使用され、レンズ装置１内に駆動指令優先度管理部７１が設けられていることである。ここで、フォーカスデマンド３ａ、３ｂはそれぞれ実施例１のフォーカスデマンド３と同様の構成である。フォーカスデマンド３ａ、３ｂの出力は、対デマンド用レンズ通信部１７’を経由して駆動指令優先度管理部７１に接続され、駆動指令優先度管理部７１の出力は操作量算出部１５”、フォーカスモータ制御部１８に接続されている。
【００７３】
駆動指令優先度管理部７１は複数のフォーカスデマンド３ａ、３ｂの駆動指令から、優先度が最も高い駆動指令を決定し、フォーカスモータ制御部１８に駆動指令を送る。ここで、優先度の最も高い駆動指令の決定方法としては、例えば予めフォーカスデマンド３ａ、３ｂの種類に応じて優先度を持たせ、その優先度に応じて決定する方法や、駆動指令に変化があった直近のフォーカスデマンド３ａ、３ｂの優先度を上げる方法である。以後は、実施例１と同様にフォーカスレンズ１１を駆動する。
【００７４】
実施例１の操作量算出部１５と実施例４の操作量算出部１５”との違いは、操作量算出部１５”が複数のフォーカスデマンド３ａ、３ｂの操作量を算出することにある。操作量算出部１５”はそれぞれのフォーカスデマンド３ａ、３ｂからフォーカスレンズ操作指令感度情報を取得する。それぞれのフォーカスレンズ操作指令感度情報を基に、実施例１と同様の方法で、現在フォーカスレンズ位置から合焦位置までの操作量を、それぞれのフォーカスデマンド３ａ、３ｂの場合で算出する。
【００７５】
また、それぞれのフォーカスレンズ操作指令感度情報を基に、実施例２と同様の方法で、基準フォーカスレンズ位置から合焦位置までの操作量を、それぞれのフォーカスデマンド３ａ、３ｂの場合で算出する。
【００７６】
操作量算出部１５”で算出された操作量情報は、対カメラ用レンズ通信部２０及びカメラ通信部３４を経由し、デフォーカス情報映像生成部３５に送られる。ここで操作量情報には、どのフォーカスデマンド３ａ、３ｂの操作量情報であるかを識別する情報が含まれている。更に、駆動指令優先度管理部７１から、操作量算出部１５”に送られたそれぞれのフォーカスデマンド３ａ、３ｂの優先度情報と、現在操作を行っている情報も併せて操作量情報に含まれる。
【００７７】
デフォーカス情報映像生成部３５は操作量情報から、現在操作を行っているフォーカスデマンド３ａ、３ｂの操作量情報を使用して、デフォーカス情報映像を生成する。このとき、どのフォーカスデマンド３ａ、３ｂの操作量情報かを示す表示を行ってもよい。
【００７８】
また、現在操作を行っているフォーカスデマンド３ａ、３ｂの操作量情報ではなく、表示内容切換部３６で表示するフォーカスデマンド３ａ、３ｂを表示選択し、決定したフォーカスデマンド３ａ、３ｂの操作量を表示することもできる。
【００７９】
このように、複数のフォーカスデマンド３ａ、３ｂがレンズ装置１に接続された場合でも、最も必要なフォーカスデマンド３ａ、３ｂの操作量を表示することができる。これにより、別のフォーカスデマンド３ａ、３ｂの操作量表示を基に、必要外のフォーカスデマンド３ａ、３ｂを動かしてしまう虞れがなくなる。
【００８０】
また、これらの複数のフォーカスデマンド３ａ、３ｂのそれぞれを、レンズ装置の物体側に配置された第１のフォーカスレンズと、第１のフォーカスレンズよりも像側に配置された第２のフォーカスレンズに対応させてもよい。フォーカスデマンド３ａにより第１のフォーカスレンズを選択した場合には、第１のフォーカスレンズを駆動するためのフォーカスデマンド３ａの合焦に至るまでに必要な操作量を表示する。また、フォーカスデマンド３ｂにより第２のフォーカスレンズを選択した場合には、第２のフォーカスレンズを駆動するためのフォーカスデマンド３ｂの操作量を表示する。
【００８１】
以上の説明では本発明の好ましい実施例について述べたが、本発明はこれらの実施例に限定されないことは云うまでもなく、特許請求の範囲内で種々の変形及び変更が可能である。
【符号の説明】
【００８２】
１  レンズ装置
２  カメラ装置
３、３ａ、３ｂ  フォーカスデマンド
１１  フォーカスレンズ
１３  被写体測距部
１４  デフォーカス量算出部
１５  操作量算出部
３５  デフォーカス情報映像生成部
３７  映像表示部
【図１】
2011053299.tif 000003
【図２】
2011053299.tif 000004
【図３】
2011053299.tif 000005
【図４】
2011053299.tif 000006
【図５】
2011053299.tif 000007
【図６】
2011053299.tif 000008
【図７】
2011053299.tif 000009
【図８】
2011053299.tif 000010